(57)【要約】【課題】  白黒判定に用いる基準データを定期的に変更する手間が削減された原稿読取装置を提供することを目的とする。【解決手段】  メモリに割り当てられている基準データ記憶部６２から読み出した基準データに基づいて、読み取った原稿の画像データに対する白黒判定を行う。メモリに予め記憶されている異常検出用文字列を文字列判別部７３により判別し、その判別結果に基づいて異常状態検出部７４がメモリの異常状態を検出したときには、スキャナ２で白基準板を読み取ることにより基準データを生成し、その基準データを基準データ記憶部６２に記憶させる。これにより、メモリの異常状態を検出したときに基準データを自動的に変更することができるので、基準データを定期的に変更する手間を削減することができる。【選択図】  図２
2008124825.tif 000002
【特許請求の範囲】
【請求項１】
原稿に光を照射し、原稿からの反射光の受光量に基づいて画像データを生成する原稿読取手段と、
生成された原稿の画像データを基準データと比較することにより白黒判定を行う白黒判定処理手段と、
上記基準データの取得を指示する基準データ取得指示手段と、
上記基準データの取得指示に基づいて、上記原稿読取手段に基準原稿を読み取らせる基準原稿読取制御手段と、
上記基準原稿の画像データに基づいて、上記基準データを生成する基準データ生成手段と、
上記基準データ生成手段により生成された上記基準データを記憶する揮発性メモリと、
上記揮発性メモリの異常状態を検出する異常状態検出手段とを備え、
上記基準データ取得指示手段は、上記異常状態検出手段による検出結果に基づいて、上記基準データの取得を指示することを特徴とする原稿読取装置。
【請求項２】
上記揮発性メモリに記憶されている所定の文字列を判別する文字列判別手段を備え、
上記異常状態検出手段は、上記文字列判別手段による判別結果に基づいて、上記揮発性メモリの異常状態を検出することを特徴とする請求項１に記載の原稿読取装置。
【請求項３】
上記原稿読取装置に電源を供給する電源供給手段と、
上記電源供給手段による電源供給が停止されているときに、上記揮発性メモリにバックアップ電圧を供給するバックアップ電圧供給手段と、
上記バックアップ電圧を検出するバックアップ電圧検出手段とを備え、
上記異常状態検出手段は、上記バックアップ電圧に基づいて、上記揮発性メモリの異常状態を検出することを特徴とする請求項１に記載の原稿読取装置。
【請求項４】
上記バックアップ電圧検出手段は、上記電源供給手段による電源供給時間に基づいて、上記バックアップ電圧を検出することを特徴とする請求項３に記載の原稿読取装置。
【発明の詳細な説明】
【技術分野】
【０００１】
本発明は、原稿読取装置に係り、さらに詳しくは、読み取った原稿の画像データを基準データと比較することにより白黒判定を行う原稿読取装置に関する。
【背景技術】
【０００２】
原稿読取装置には、一般的に、原稿に向けて光を照射する光源と、原稿からの反射光を受光するラインセンサとが備えられている。ラインセンサには、一直線状に並べられた複数の受光素子が備えられており、各受光素子における原稿からの反射光の受光量に基づいて、原稿の画像データが生成されるようになっている。
【０００３】
この種の原稿読取装置では、読み取った原稿の画像データの各画素について基準データと比較する処理が行われることにより、各画素が白画素及び黒画素のいずれであるかを判定する白黒判定が行われる場合がある。この白黒判定に用いられる基準データは、通常、一定のデータとしてメモリに記憶されるのではなく、白黒判定をより適切に行うために定期的に変更される。すなわち、光源やラインセンサの各受光素子に生じる経年変化によって、各受光素子からの出力信号にばらつきが生じるため、受光素子ごとに基準データを定期的に変更する必要がある。
【０００４】
上記のような基準データを変更する処理は、一般的にシェーディング補正と呼ばれており、全面が白色からなる基準原稿を読み取らせ、その画像データに基づいてラインセンサの各受光素子について白黒判定の閾値を決定することにより、それらの閾値からなる基準データが生成される（例えば、特許文献１〜３）。従来、このシェーディング補正は、作業者が定期的に原稿読取装置を操作することにより行われていた。
【特許文献１】特開平１１−８８６７５号公報
【特許文献２】特開平１１−２１５３７４号公報
【特許文献３】特開２００６−２５４２５０号公報
【発明の開示】
【発明が解決しようとする課題】
【０００５】
しかしながら、従来の構成では、作業者が定期的に原稿読取装置を操作してシェーディング補正を行う必要があるため、手間がかかるという問題がある。また、基準データが記憶されているメモリに異常が生じた場合には、所望の画像データを得ることができない場合がある。
【０００６】
特に、上記原稿読取装置がファクシミリ装置である場合のように、読み取った原稿の画像データに基づく印刷物をユーザが確認しないような装置の場合には、メモリに生じた異常によって所望の画像データが得られていないことにユーザが気付かないおそれがある。このような場合には、画像データを受信した相手側装置において所望の印刷物を得ることができず、用紙の無駄等の問題が生じることになってしまう。
【０００７】
本発明は、上記の事情に鑑みてなされたものであり、白黒判定に用いる基準データを定期的に変更する手間が削減された原稿読取装置を提供することを目的とする。また、本発明は、基準データが記憶されているメモリに異常が生じた場合に所望の画像データが得られなくなるのを防止できる原稿読取装置を提供することを目的とする。
【課題を解決するための手段】
【０００８】
第１の本発明による原稿読取装置は、原稿に光を照射し、原稿からの反射光の受光量に基づいて画像データを生成する原稿読取手段と、生成された原稿の画像データを基準データと比較することにより白黒判定を行う白黒判定処理手段と、上記基準データの取得を指示する基準データ取得指示手段と、上記基準データの取得指示に基づいて、上記原稿読取手段に基準原稿を読み取らせる基準原稿読取制御手段と、上記基準原稿の画像データに基づいて、上記基準データを生成する基準データ生成手段と、上記基準データ生成手段により生成された上記基準データを記憶する揮発性メモリと、上記揮発性メモリの異常状態を検出する異常状態検出手段とを備え、上記基準データ取得指示手段が、上記異常状態検出手段による検出結果に基づいて、上記基準データの取得を指示するように構成される。
【０００９】
このような構成によれば、白黒判定に用いる基準データが記憶されている揮発性メモリの異常状態を検出したときに、基準原稿を読み取ることにより基準データを生成し、その基準データを揮発性メモリに記憶させることができる。したがって、揮発性メモリの異常状態を検出したときに基準データを自動的に変更することができるので、基準データを定期的に変更する手間を削減することができる。また、白黒判定に用いる基準データが記憶されている揮発性メモリの異常状態を検出したときに基準データを変更するので、異常な基準データに基づいて白黒判定が行われることにより所望の画像データが得られなくなるのを防止できる。
【００１０】
第２の本発明による原稿読取装置は、上記構成に加えて、上記揮発性メモリに記憶されている所定の文字列を判別する文字列判別手段を備え、上記異常状態検出手段が、上記文字列判別手段による判別結果に基づいて、上記揮発性メモリの異常状態を検出するように構成される。このような構成によれば、揮発性メモリに記憶されている所定の文字列を判別し、その判別結果に基づいて揮発性メモリの異常状態を検出することができる。
【００１１】
第３の本発明による原稿読取装置は、上記構成に加えて、上記原稿読取装置に電源を供給する電源供給手段と、上記電源供給手段による電源供給が停止されているときに、上記揮発性メモリにバックアップ電圧を供給するバックアップ電圧供給手段と、上記バックアップ電圧を検出するバックアップ電圧検出手段とを備え、上記異常状態検出手段が、上記バックアップ電圧に基づいて、上記揮発性メモリの異常状態を検出するように構成される。このような構成によれば、揮発性メモリに供給されるバックアップ電圧を検出し、その検出結果に基づいて揮発性メモリの異常状態を検出することができる。
【００１２】
第４の本発明による原稿読取装置は、上記構成に加えて、上記バックアップ電圧検出手段が、上記電源供給手段による電源供給時間に基づいて、上記バックアップ電圧を検出するように構成される。このような構成によれば、原稿読取装置に対する電源供給時間に基づいてバックアップ電圧を検出し、その検出結果に基づいて揮発性メモリの異常状態を検出することができる。
【発明の効果】
【００１３】
本発明によれば、揮発性メモリの異常状態を検出したときに基準データを自動的に変更することができるので、基準データを定期的に変更する手間を削減することができる。また、白黒判定に用いる基準データが記憶されている揮発性メモリの異常状態を検出したときに基準データを変更するので、異常な基準データに基づいて白黒判定が行われることにより所望の画像データが得られなくなるのを防止できる。
【発明を実施するための最良の形態】
【００１４】
実施の形態１．
図１は、本発明の実施の形態１における原稿読取装置の構成例を示したブロック図であり、原稿読取装置の一例としてデジタル複合機１を示している。このデジタル複合機１は、スキャナ２で読み取った原稿の画像データに基づいてプリンタ機構３が用紙に画像を印刷するコピー機能や、スキャナ２で読み取った原稿の画像データを通信部４からファクシミリ送信するファクシミリ機能などを備えている。このデジタル複合機１には、上記のスキャナ２、プリンタ機構３及び通信部４に加えて、操作部５及びメモリ６が備えられ、これらの動作が、プロセッサからなる制御部７により制御されるようになっている。
【００１５】
スキャナ２には、原稿に向けて光を照射する光源２１と、原稿からの反射光を受光するラインセンサ２２とが備えられている。ラインセンサ２２は、一直線状に配置された複数の受光素子からなり、各受光素子における受光量を表す信号がスキャナ２から制御部７へ出力される。制御部７は、スキャナ２からの出力信号に基づいて原稿の画像データを生成し、その画像データをメモリ６に格納する。スキャナ２及び制御部７は、原稿に光を照射し、原稿からの反射光の受光量に基づいて画像データを生成する原稿読取手段を構成している。
【００１６】
プリンタ機構３は、メモリ６に格納された画像データに基づいて用紙に画像を印刷する印刷手段である。このプリンタ機構３は、感光体ドラム、帯電器、現像装置、転写装置及び定着装置などからなる周知の印刷手段であるため、ここでは詳細な説明を省略することとする。
【００１７】
通信部４は、ファクシミリ装置などの相手方端末との間で通信を行う通信手段である。このデジタル複合機１がファクシミリ送信を行う場合には、通信部４が相手方のファクシミリ装置との間で接続状態を確立させた後、スキャナ２で読み取った原稿の画像データが送信される。一方、ファクシミリ受信を行う場合には、通信部４を介して相手方のファクシミリ装置から画像データを受信し、その画像データに基づく画像がプリンタ機構３において用紙に印刷される。
【００１８】
操作部５は、このデジタル複合機１の動作をユーザが指示するための操作入力手段であり、スキャナ２における原稿の読取動作を開始させる際などにユーザが操作するためのスタートキー５１が備えられている。
【００１９】
メモリ６は、ＳＲＡＭ(Static Random Access Memory)又はＳＤＲＡＭ(Synchronous Dynamic Random Access Memory)などの揮発性メモリにより構成されている。このデジタル複合機１には、二次電池８が備えられており、当該デジタル複合機１の主電源がオフ状態とされているときには、二次電池８からメモリ６に電源が供給されるようになっている。
【００２０】
本実施の形態では、スキャナ２で読み取った原稿の画像データに対して画像処理を行った後、その画像処理後の画像データに基づいてプリンタ機構３で用紙に画像を印刷したり、当該画像処理後の画像データを通信部４からファクシミリ送信したりするようになっている。上記画像処理には、原稿の画像データの各画素について基準データと比較することにより、各画素が白画素及び黒画素のいずれであるかを判定する白黒判定が含まれている。
【００２１】
上記白黒判定に用いられる基準データは、メモリ６に記憶されており、原稿の読取時にメモリ６から読み出されて白黒判定が行われる。ここで、ラインセンサ２２の各受光素子から出力される信号には、これらの各受光素子や光源２１に生じる経年変化によってばらつきが生じるため、白黒判定をより適切に行うためには、定期的にシェーディング補正を行い、受光素子ごとに基準データを変更する必要がある。
【００２２】
シェーディング補正時には、スキャナ２において白基準板２３の画像を読み取ることにより新たな基準データが生成され、その基準データがメモリ６に記憶される。白基準板２３は、全面が白色からなる基準原稿であり、スキャナ２で読み取った白基準板２３の画像データを基準にして、各受光素子について白黒判定の閾値を決定することにより、それらの閾値からなる基準データを生成することができる。
【００２３】
図２は、制御部７の一構成例を示した機能ブロック図である。制御部７は、ユーザがセットした原稿をスキャナ２に読み取らせ、その画像データに対して白黒判定を含む画像処理を行うとともに、必要に応じて、スキャナ２において白基準板２３を読み取らせ、その画像データに基づいて白黒判定に用いる基準データを生成する処理を行う。制御部７は、読取制御部７１、画像処理部７２、文字列判別部７３、異常状態検出部７４、基準データ取得指示部７５及び基準データ生成部７６によって構成され、これらの各機能ブロックは、制御部７が実行するコンピュータプログラムにより実現される。
【００２４】
読取制御部７１は、ユーザによるスタートキー５１の操作に基づいて、スキャナ２の動作を制御することにより原稿の読み取りを行う。スキャナ２で読み取られた原稿の画像データは、メモリ６に割り当てられている画像データ記憶部６１に格納される。画像データ記憶部６１に格納された画像データには、画像処理部７２により画像処理が施され、コピー機能実行時には、その画像処理後の画像データに基づいてプリンタ機構３で用紙に画像が印刷される。一方、ファクシミリ機能実行時には、画像処理後の画像データが通信部４からファクシミリ送信されるようになっている。
【００２５】
画像処理部７２には、上述の白黒判定を行う白黒判定処理部７２１が含まれており、画像処理部７２は、原稿の画像データに対して白黒判定を含む各種の画像処理を施す。ここで、メモリ６には、白黒判定に用いる基準データを記憶する基準データ記憶部６２が割り当てられており、白黒判定時には、この基準データ記憶部６２から読み出した基準データに基づいて、原稿の画像データの各画素について白黒判定の閾値と比較する処理が行われる。
【００２６】
本実施の形態では、メモリ６の異常状態が検出されたときに、シェーディング補正が自動的に行われ、そのシェーディング補正により生成された新たな基準データが基準データ記憶部６２に記憶されるようになっている。より具体的には、メモリ６には、予め定められた異常検出用文字列が記憶されており、この文字列の判別結果に基づいてメモリ６の異常状態が検出されたときに、シェーディング補正が行われるようになっている。
【００２７】
文字列判別部７３は、メモリ６に記憶されている異常検出用文字列を判別し、その判別結果に基づいて異常状態検出部７４がメモリ６の異常状態を検出する。すなわち、メモリ６に異常検出用文字列が記憶されているか否かが文字列判別部７３により判別され、当該文字列が記憶されていない場合には、異常状態検出部７４によりメモリ６に異常が生じていると判断される。メモリ６に記憶されている異常検出用文字列は、静電気などに起因してメモリ６から消失したり、他の文字列に変化したりしてしまう場合があり、このような場合には、メモリ６に記憶されている基準データが正常なデータであることが保証できない。そのため、異常状態検出部７４により異常状態が検出された場合には、基準データ取得指示部７５により新たな基準データの取得が指示され、シェーディング補正が行われるようになっている。
【００２８】
基準データ取得指示部７５により基準データの取得が指示されると、読取制御部７１がスキャナ２の動作を制御することにより白基準板２３の読み取りが行われ、読み取られた白基準板２３の画像データが画像データ記憶部６１に格納される。このとき、読取制御部７１は、基準データの取得指示に基づいて、スキャナ２に基準原稿としての白基準板２３を読み取らせる基準原稿読取制御手段として機能する。
【００２９】
基準データ生成部７６は、画像データ記憶部６１に格納された白基準板２３の画像データに基づいて、スキャナ２のラインセンサ２２に備えられている各受光素子について白黒判定の閾値を決定することにより基準データを生成し、その基準データを基準データ記憶部６２に格納する。これにより、基準データ記憶部６２に記憶されている基準データが書き換えられ、その後に行われる原稿の読取時には、読み取った原稿の画像データに対して新たな基準データを用いて白黒判定が行われる。
【００３０】
なお、異常状態検出部７４によりメモリ６の異常状態が検出された場合には、その旨を表すフラグを立てるような構成であってもよいし、メモリ６内の一部の文字列を書き換えることにより、異常状態が検出された旨を認識可能にするような構成であってもよい。また、メモリ６の異常状態が検出された旨が、メモリ６とは別個に設けられた不揮発性のメモリに記憶されるような構成であってもよい。
【００３１】
図３は、メモリ６内の異常検出用文字列の判別結果に基づいて制御部７が行う処理の一例を示したフローチャートである。この例では、メモリ６に異常検出用文字列が記憶されていないと判別されることにより（ステップＳ１０１でＮｏ）、メモリ６の異常状態が検出された場合に、新たな基準データの取得が指示され（ステップＳ１０２）、シェーディング補正が開始されるようになっている。
【００３２】
シェーディング補正では、まず、スキャナ２により白基準板２３の読み取りが行われる（ステップＳ１０３）。そして、読み取られた白基準板２３の画像データが画像データ記憶部６１に格納され、その画像データに基づいて新たな基準データが生成される（ステップＳ１０４）。このようにして生成された新たな基準データが基準データ記憶部６２に格納されることにより（ステップＳ１０５）、シェーディング補正が終了し、その後の原稿読取時に行われる白黒判定の際にはシェーディング補正後の基準データが用いられる。
【００３３】
本実施の形態では、白黒判定に用いる基準データが記憶されているメモリ６の異常状態を検出したときに、白基準板２３を読み取ることにより基準データを生成し、その基準データをメモリ６に記憶させることができる。したがって、メモリ６の異常状態を検出したときに基準データを自動的に変更することができるので、基準データを定期的に変更する手間を削減することができる。また、白黒判定に用いる基準データが記憶されているメモリ６の異常状態を検出したときに基準データを変更するので、異常な基準データに基づいて白黒判定が行われることにより所望の画像データが得られなくなるのを防止できる。
【００３４】
特に、スキャナ２で読み取った原稿の画像データをファクシミリ送信する場合には、通常、読み取った原稿の画像データに基づく印刷物をユーザが確認しないため、メモリ６に生じた異常によって所望の画像データが得られていないことにユーザが気付かないおそれがある。このような場合であっても、本実施の形態では、メモリ６の異常状態を検出したときに基準データを変更し、その基準データに基づく白黒判定等の画像処理を行った後、その画像処理後の画像データをファクシミリ送信するので、相手側装置において所望の画像データが得られなくなるのを確実に防止できる。
【００３５】
実施の形態２．
実施の形態１では、メモリ６に記憶されている異常検出用文字列を判別することによりメモリ６の異常状態を検出するような構成について説明した。これに対して、実施の形態２では、メモリ６に供給されるバックアップ電圧を検出し、その検出結果に基づいてメモリ６の異常状態を検出するようになっている点が異なっている。
【００３６】
図４は、本発明の実施の形態２における制御部７の一構成例を示した機能ブロック図である。本実施の形態では、実施の形態１とは異なり、電源供給部７７による電源供給が停止されているときに、二次電池８からメモリ６に供給されるバックアップ電圧をバックアップ電圧検出部７８により検出し、その検出結果に基づいて異常状態検出部７４がメモリ６の異常状態を検出するようになっている。この点を除けば、本実施の形態における制御部７の構成は、実施の形態１の場合と同様であるので、同様の構成については図に同一符号を付して説明を省略することとする。
【００３７】
電源供給部７７は、デジタル複合機１の主電源がオン状態とされているときに、画像データ記憶部６１や基準データ記憶部６２を含むメモリ６の他、スキャナ２、プリンタ機構３及び通信部４などのデジタル複合機１の各部に電源を供給している。デジタル複合機１の主電源がオン状態とされているときには、電源供給部７７から二次電池８にも電源が供給され、二次電池８が充電されるようになっている。
【００３８】
デジタル複合機１の主電源がオフ状態にされると、電源供給部７７による電源供給が停止され、代わりに二次電池８からメモリ６に電源が供給される。これにより、メモリ６にバックアップ電圧が供給され、デジタル複合機１の主電源が一定時間オフ状態とされた場合であっても、揮発性メモリからなるメモリ６内のデータが消失せずに保持されるようになっている。
【００３９】
バックアップ電圧検出部７８は、二次電池８からメモリ６に供給されるバックアップ電圧を検出し、その検出結果に基づいて異常状態検出部７４がメモリ６の異常状態を検出する。すなわち、メモリ６に供給されるバックアップ電圧が所定の閾値以下であるか否かが異常状態検出部７４により判別され、上記閾値以下である場合には、メモリ６に異常が生じていると判断される。メモリ６に供給されるバックアップ電圧がある程度低下した場合には、メモリ６に記憶されている基準データが正常なデータであることが保証できないため、このような場合には、基準データ取得指示部７５により新たな基準データの取得が指示され、シェーディング補正が行われるようになっている。
【００４０】
図５は、メモリ６に供給されるバックアップ電圧の検出結果に基づいて制御部７が行う処理の一例を示したフローチャートである。この例では、デジタル複合機１の主電源がオフ状態とされているときに、メモリ６に供給されるバックアップ電圧が上記閾値以下であると判別されることにより（ステップＳ２０１でＹｅｓ）、メモリ６の異常状態が検出された場合に、新たな基準データの取得が指示されるようになっている（ステップＳ２０２）。
【００４１】
基準データの取得が指示された場合には、その後にデジタル複合機１の主電源がオン状態とされたときに（ステップＳ２０３でＹｅｓ）、シェーディング補正が開始される。シェーディング補正時の処理（ステップＳ２０４〜Ｓ２０６）は、図３のステップＳ１０３〜Ｓ１０５に示した実施の形態１の場合と同様であるので、ここでは説明を省略することとする。
【００４２】
実施の形態３．
実施の形態２では、メモリ６に供給されるバックアップ電圧を直接検出し、その検出結果に基づいてメモリ６の異常状態を検出するような構成について説明した。これに対して、実施の形態３では、電源供給部７７によるデジタル複合機１の各部への電源供給時間に基づいてバックアップ電圧を検出し、その検出結果に基づいてメモリ６の異常状態を検出するようになっている点が異なっている。
【００４３】
図６は、本発明の実施の形態３における制御部７の一構成例を示した機能ブロック図である。本実施の形態では、実施の形態２とは異なり、デジタル複合機１の主電源がオン状態とされることにより電源供給部７７からの電源供給が行われている時間（以下、「オン時間」と呼ぶ。）と、デジタル複合機１の主電源がオフ状態とされることにより電源供給部７７からの電源供給が停止されている時間（以下、「オフ時間」と呼ぶ。）とを電源供給時間検出部７９で検出し、その検出結果に基づいて異常状態検出部７４がメモリ６の異常状態を検出するようになっている。この点を除けば、本実施の形態における制御部７の構成は、実施の形態２の場合と同様であるので、同様の構成については図に同一符号を付して説明を省略することとする。
【００４４】
二次電池８は、オン時間中は電源供給部７７から供給される電源により充電され、オフ時間中はメモリ６に電源を供給する。したがって、これらのオン時間及びオフ時間の差分を求めることにより、二次電池８の充電量を推測することができ、二次電池８からメモリ６に供給されるバックアップ電圧を間接的に検出することができる。このように電源供給部７７による電源供給時間に基づいてバックアップ電圧を検出し、その検出結果に基づいて異常状態検出部７４によりメモリ６の異常状態を検出することにより、実施の形態２の場合と同様に、メモリ６の異常状態の検出結果に基づいて基準データ取得指示部７５により新たな基準データの取得を指示し、シェーディング補正を行うことができる。
【００４５】
以上の実施の形態では、メモリ６の異常状態が検出されたときに、シェーディング補正が自動的に行われ、そのシェーディング補正により生成された新たな基準データが基準データ記憶部６２に格納されるような構成について説明した。しかし、このような構成に限らず、例えばメモリ６を一括初期化する処理が行われたときに、シェーディング補正が自動的に行われるような構成であってもよい。
【００４６】
また、画像データ記憶部６１及び基準データ記憶部６２は別々のメモリにより構成されていてもよい。この場合、基準データ記憶部６２を構成しているメモリの異常状態を検出し、その検出結果に基づいてシェーディング補正が行われるような構成となっていてもよい。
【００４７】
また、シェーディング補正は、デジタル複合機１に設けられている白基準板２３を読み取ることにより行われるような構成に限らず、全面が白色からなる基準原稿をユーザがセットし、その基準原稿をスキャナ２で読み取ることにより行われるような構成であってもよい。
【００４８】
以上の実施の形態では、原稿読取装置の一例としてデジタル複合機１に本発明を適用した場合について説明したが、本発明は、デジタル複合機に限らず、原稿を読み取って画像データを生成するような原稿読取装置であれば、スキャナ装置などの他の原稿読取装置にも適用可能である。
【図面の簡単な説明】
【００４９】
【図１】本発明の実施の形態１における原稿読取装置の構成例を示したブロック図であり、原稿読取装置の一例としてデジタル複合機を示している。
【図２】制御部の一構成例を示した機能ブロック図である。
【図３】メモリ内の異常検出用文字列の判別結果に基づいて制御部が行う処理の一例を示したフローチャートである。
【図４】本発明の実施の形態２における制御部の一構成例を示した機能ブロック図である。
【図５】メモリに供給されるバックアップ電圧の検出結果に基づいて制御部が行う処理の一例を示したフローチャートである。
【図６】本発明の実施の形態３における制御部の一構成例を示した機能ブロック図である。
【符号の説明】
【００５０】
１  デジタル複合機
２  スキャナ
６  メモリ
７  制御部
８  二次電池
６１  画像データ記憶部
６２  基準データ記憶部
７１  読取制御部
７２  画像処理部
７３  文字列判別部
７４  異常状態検出部
７５  基準データ取得指示部
７６  基準データ生成部
７７  電源供給部
７８  バックアップ電圧検出部
７９  電源供給時間検出部
７２１  白黒判定処理部
【図１】
2008124825.tif 000003
【図２】
2008124825.tif 000004
【図３】
2008124825.tif 000005
【図４】
2008124825.tif 000006
【図５】
2008124825.tif 000007
【図６】
2008124825.tif 000008